【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
（Ｉ）潤滑粘性油；
（ＩＩ）ブロックＡの少なくとも１つおよびブロックＢの少なくとも１つを含む水素化コポリマーであって、ブロックＡがオレフィンポリマーブロックを含み、ブロックＢがビニル芳香族ポリマーブロックを含み、ブロックＡ中のモノマー単位とブロックＡ＋ブロックＢの組合せ中のモノマー単位とのモル比が０．５〜０．９の範囲であり；ブロックＡ中の繰り返し単位の５〜９５モル％がアルキル分枝基を含み、ただし、前記コポリマーがテーパー型コポリマーを含む場合、ブロックＡ中の繰り返し単位の３８．５モル％超〜９５モル％はアルキル分枝基を含み、ブロックＡの前記アルキル分枝基は任意選択でさらに置換されており；そして前記水素化コポリマーは、（ｉ）ブロックＡまたはブロックＢを、エステル、アミン、イミドまたはアミド官能基を提供するように任意選択でさらに置換されているペンダントカルボニル含有基でさらに官能基化するルート、および／または（ｉｉ）ブロックＡを、前記オレフィンポリマーブロック上に直接結合したアミン官能基でさらに官能基化するルートの少なくとも１つによって任意選択でさらに官能基化されている、水素化コポリマー；ならびに
（ＩＩＩ）コアおよび前記コアから延出する複数のポリマーアームを含むラジアルポリマーであって、各アームが、１つまたは複数の共役ジエンおよび１つまたは複数のモノアルケニル芳香族炭化水素から誘導され、各アームが４０，０００〜２００，０００の範囲の重量平均分子量を有し、各アームが使用できる二重結合の９０〜１００％で水素化されており、前記ラジアルポリマーが３００，０００〜２，５００，０００の範囲の重量平均分子量を有するラジアルポリマー
を含む組成物。
【請求項２】
（ＩＩ）対（ＩＩＩ）の重量比が、９０：１０〜１０：９０、または９０：１０〜５０：５０、または８０：２０〜７０：３０の範囲である、請求項１に記載の組成物。
【請求項３】
前記組成物が、潤滑油組成物を含み、前記潤滑油組成物中の（ＩＩ）および（ＩＩＩ）の濃度が０．５％〜２．０％の範囲である、請求項１または請求項２に記載の組成物。
【請求項４】
前記コポリマー（ＩＩ）がテーパー型コポリマーではなく、そしてブロックＡが２０モル％〜８０モル％または３０モル％〜７０モル％の、アルキル分枝基を含む繰り返し単位を含む、請求項１から３のいずれかに記載の組成物。
【請求項５】
前記コポリマー（ＩＩ）がテーパー型コポリマーを含み、そしてブロックＡが３０モル％〜８０モル％または５０モル％〜７５モル％の、アルキル分枝基を含む繰り返し単位を含む、請求項１から３のいずれかに記載の組成物。
【請求項６】
前記コポリマー（ＩＩ）がブタジエンから誘導された繰り返し単位およびアルキレンアレーンから誘導された繰り返し単位を含む、請求項１から５のいずれかに記載の組成物。
【請求項７】
ブロックＡおよび／またはブロックＢが独立にペンダントカルボニル含有基をさらに含む、請求項１から６のいずれかに記載の組成物。
【請求項８】
前記コポリマーが窒素含有官能基をさらに含む、請求項１から７のいずれかに記載の組成物。
【請求項９】
前記窒素含有官能基が、（ｉ）ペンダントカルボニル含有基と結合してイミド、アミドまたはアミン塩を生成するアミン、または（ｉｉ）オレフィンポリマーブロック上に直接結合しているアミンを含み、前記アミンが第一級または第二級窒素基を含む、請求項８に記載の組成物。
【請求項１０】
前記窒素含有官能基が、ファーストバイオレットＢ、ファーストブルーＢＢ、アニリン、Ｎ−アルキルアニリン、ジ−（パラ−メチルフェニル）アミン、４−アミノジフェニルアミン、Ｎ，Ｎ−ジメチルフェニレンジアミン、ナフチルアミン、４−（４−ニトロフェニルアゾ）アニリン、スルファメタジン、４−フェノキシアニリン、３−ニトロ−アニリン、４−アミノアセトアニリド（Ｎ−（４−アミノフェニル）アセトアミド））、４−アミノ−２−ヒドロキシ−安息香酸フェニルエステル（フェニルアミノサリチレート）、Ｎ−（４−アミノ−フェニル）−ベンズアミド、ベンジルアミン、４−フェニルアゾアニリン、パラ−エトキシアニリン、パラ−ドデシルアニリン、シクロヘキシル置換ナフチルアミン、チエニル置換アニリンまたはその２つ以上の混合物から誘導される、請求項９に記載の潤滑組成物。
【請求項１１】
ブロックＡが、前記オレフィンポリマーブロック上に直接結合したアミン官能基をさら
に含み、前記アミン官能基が、Ｎ−ｐ−ジフェニルアミン−１，２，３，６−テトラヒドロフタルイミド；４−アニリノフェニルメタクリルアミド；４−アニリノフェニルマレイミド；４−アニリノフェニルイタコンアミド；４−ヒドロキシジフェニルアミンのアクリレートおよびメタクリレートエステル；ｐ−アミノジフェニルアミンまたはｐ−アルキルアミノジフェニルアミンとグリシジルメタクリレートの反応生成物；ｐ−アミノジフェニルアミンとイソブチルアルデヒドの反応生成物、ｐ−ヒドロキシジフェニルアミンの誘導体；フェノチアジンの誘導体；ビニル置換ジフェニルアミンの少なくとも１つまたはその２つ以上の混合物から誘導される、請求項１から１０のいずれかに記載の組成物。
【請求項１２】
前記コポリマーが、スチレンおよびブタジエンから誘導される繰り返し単位を含み、前記繰り返し単位の１５〜３５モル％がスチレンから誘導され、そして水素化に使用可能な前記二重結合の９０〜１００％が水素化されている、請求項１から１１のいずれかに記載の組成物。
【請求項１３】
前記組成物が、エンジンオイルであり、そして前記組成物が、（ｉ）０．５重量％以下のイオウ含有量、（ｉｉ）０．１重量％以下のリン含有量および（ｉｉｉ）１．５重量％以下の硫酸塩灰分含有量を有する、請求項１から１２に記載の組成物。
【請求項１４】
２ストロークもしくは４ストローク内燃機関のためのエンジンオイル、ギアオイル、自動変速機オイル、油圧油、タービン油、金属加工油剤またはサーキュレーティングオイルとしての、請求項１から１３のいずれかに記載の組成物の使用。
【請求項１５】
２ストロークまたは４ストローク舶用ディーゼル内燃機関用のエンジンオイルとしての、請求項１から１３のいずれかに記載の組成物の使用。
【手続補正２】
【補正対象書類名】明細書
【補正対象項目名】００１３
【補正方法】変更
【補正の内容】
【００１３】
本発明は、２ストロークまたは４ストロークの舶用ディーゼル内燃機関用のエンジンオイルとしての上記組成物の使用に関し得る。
例えば、本発明は以下の項目を提供する。
（項目１）
（Ｉ）潤滑粘性油；
（ＩＩ）ブロックＡの少なくとも１つおよびブロックＢの少なくとも１つを含む水素化コポリマーであって、ブロックＡがオレフィンポリマーブロックを含み、ブロックＢがビニル芳香族ポリマーブロックを含み、ブロックＡ中のモノマー単位とブロックＡ＋ブロックＢの組合せ中のモノマー単位とのモル比が０．５〜０．９の範囲であり；ブロックＡ中の繰り返し単位の５〜９５モル％がアルキル分枝基を含み、ただし、前記コポリマーがテーパー型コポリマーを含む場合、ブロックＡ中の繰り返し単位の３８．５モル％超〜９５モル％はアルキル分枝基を含み、ブロックＡの前記アルキル分枝基は任意選択でさらに置換されており；そして前記水素化コポリマーは、（ｉ）ブロックＡまたはブロックＢを、エステル、アミン、イミドまたはアミド官能基を提供するように任意選択でさらに置換されているペンダントカルボニル含有基でさらに官能基化するルート、および／または（ｉｉ）ブロックＡを、前記オレフィンポリマーブロック上に直接結合したアミン官能基でさらに官能基化するルートの少なくとも１つによって任意選択でさらに官能基化されている、水素化コポリマー；ならびに
（ＩＩＩ）コアおよび前記コアから延出する複数のポリマーアームを含むラジアルポリマーであって、各アームが、１つまたは複数の共役ジエンおよび１つまたは複数のモノアルケニル芳香族炭化水素から誘導され、各アームが４０，０００〜２００，０００の範囲の重量平均分子量を有し、各アームが使用できる二重結合の９０〜１００％で水素化されており、前記ラジアルポリマーが３００，０００〜２，５００，０００の範囲の重量平均分子量を有するラジアルポリマー
を含む組成物。
（項目２）
（ＩＩ）対（ＩＩＩ）の重量比が、９０：１０〜１０：９０、または９０：１０〜５０：５０、または８０：２０〜７０：３０の範囲である、項目１に記載の組成物。
（項目３）
前記組成物が、濃縮物を含み、前記濃縮物中の（ＩＩ）および（ＩＩＩ）の濃度が２〜１２重量％の範囲である、項目１または項目２に記載の組成物。
（項目４）
（ＩＩ）および（ＩＩＩ）が前記潤滑粘性油に添加された、項目３に記載の組成物。
（項目５）
（ＩＩ）および（ＩＩＩ）が同時押し出しされて押出物が作製され、前記押出物が前記潤滑粘性油に添加された、項目３に記載の組成物。
（項目６）
前記組成物が、潤滑油組成物を含み、前記潤滑油組成物中の（ＩＩ）および（ＩＩＩ）の濃度が０．５％〜２．０％の範囲である、項目１または項目２に記載の組成物。
（項目７）
前記コポリマー（ＩＩ）がテーパー型コポリマーではなく、そしてブロックＡが２０モル％〜８０モル％または３０モル％〜７０モル％の、アルキル分枝基を含む繰り返し単位を含む、前記項目のいずれかに記載の組成物。
（項目８）
前記コポリマー（ＩＩ）がテーパー型コポリマーを含み、そしてブロックＡが３０モル％〜８０モル％または５０モル％〜７５モル％の、アルキル分枝基を含む繰り返し単位を含む、項目１から６のいずれかに記載の組成物。
（項目９）
前記コポリマー（ＩＩ）がブタジエンから誘導された繰り返し単位およびアルキレンアレーンから誘導された繰り返し単位を含む、前記項目のいずれかに記載の組成物。
（項目１０）
前記コポリマーが、スチレンおよびブタジエンから誘導された繰り返し単位を含む主鎖
を含む、前記項目のいずれかに記載の組成物。
（項目１１）
前記コポリマー（ＩＩ）がジブロックコポリマーを含む、前記項目のいずれかに記載の組成物。
（項目１２）
前記コポリマーが、１０００〜１，０００，０００の範囲または１０，０００〜２５０，０００の範囲の数平均分子量を有する、前記項目のいずれかに記載の組成物。
（項目１３）
前記水素化コポリマーが、１〜１．６未満の範囲または１．０１〜１．２の範囲の多分散度を有する、前記項目のいずれかに記載の組成物。
（項目１４）
前記水素化コポリマーが連続ブロックコポリマーを含む、前記項目のいずれかに記載の組成物。
（項目１５）
ブロックＡおよび／またはブロックＢが独立にペンダントカルボニル含有基をさらに含む、前記項目のいずれかに記載の組成物。
（項目１６）
前記ペンダントカルボニル含有基が、エステル、アミン、イミドまたはアミド官能基を提供するようにさらに置換されている、項目１５に記載の組成物。
（項目１７）
前記ペンダントカルボニル含有基がカルボン酸またはその誘導体を含み、前記誘導体が無水物、ハロゲン化物またはアルキルエステル基を含み、前記アルキルエステル基が最大で７個の炭素原子を含む、項目１５に記載の組成物。
（項目１８）
前記カルボン酸がジカルボン酸を含む、項目１７に記載の組成物。
（項目１９）
前記コポリマーが窒素含有官能基をさらに含む、前記項目のいずれかに記載の組成物。
（項目２０）
前記窒素含有官能基が、脂肪族アミン、芳香族アミンまたは非芳香族アミンから誘導される、項目１９に記載の組成物。
（項目２１）
前記窒素含有官能基が、（ｉ）ペンダントカルボニル含有基と結合してイミド、アミドまたはアミン塩を生成するアミン、または（ｉｉ）オレフィンポリマーブロック上に直接結合しているアミンを含む、項目１９または項目２０に記載の組成物。
（項目２２）
前記アミンが第一級または第二級窒素基を含む、項目２０に記載の組成物。
（項目２３）
前記窒素含有官能基が、ファーストバイオレットＢ、ファーストブルーＢＢ、アニリン、Ｎ−アルキルアニリン、ジ−（パラ−メチルフェニル）アミン、４−アミノジフェニルアミン、Ｎ，Ｎ−ジメチルフェニレンジアミン、ナフチルアミン、４−（４−ニトロフェニルアゾ）アニリン、スルファメタジン、４−フェノキシアニリン、３−ニトロ−アニリン、４−アミノアセトアニリド（Ｎ−（４−アミノフェニル）アセトアミド））、４−アミノ−２−ヒドロキシ−安息香酸フェニルエステル（フェニルアミノサリチレート）、Ｎ−（４−アミノ−フェニル）−ベンズアミド、ベンジルアミン、４−フェニルアゾアニリン、パラ−エトキシアニリン、パラ−ドデシルアニリン、シクロヘキシル置換ナフチルアミン、チエニル置換アニリンまたはその２つ以上の混合物から誘導される、項目１９に記載の潤滑組成物。
（項目２４）
ブロックＡが、前記オレフィンポリマーブロック上に直接結合したアミン官能基をさら
に含む、前記項目のいずれかに記載の組成物。
（項目２５）
前記アミン官能基が、Ｎ−ｐ−ジフェニルアミン、１，２，３，６−テトラヒドロフタルイミド；４−アニリノフェニルメタクリルアミド；４−アニリノフェニルマレイミド；４−アニリノフェニルイタコンアミド；４−ヒドロキシジフェニルアミンのアクリレートおよびメタクリレートエステル；ｐ−アミノ−ジフェニルアミンまたはｐ−アルキルアミノジフェニルアミンとグリシジルメタクリレートの反応生成物；ｐ−アミノジフェニルアミンとイソブチルアルデヒドの反応生成物、ｐ−ヒドロキシジフェニルアミンの誘導体；フェノチアジンの誘導体；ビニル置換ジフェニルアミンの少なくとも１つまたはその２つ以上の混合物から誘導される、項目２４に記載の組成物。
（項目２６）
前記コポリマーが、スチレンおよびブタジエンから誘導される繰り返し単位を含み、前記繰り返し単位の１５〜３５モル％がスチレンから誘導され、そして水素化に使用可能な前記二重結合の９０〜１００％が水素化されている、前記項目のいずれかに記載の組成物。
（項目２７）
前記ラジアルポリマーの各アームが、ブタジエンおよびスチレンから誘導される、前記項目のいずれかに記載の組成物。
（項目２８）
前記ラジアルポリマーが前記コアから延出する３〜１２個のアームを含む、前記項目のいずれかに記載の組成物。
（項目２９）
前記ラジアルポリマーの前記コアが、１つまたは複数のポリビニルベンゼンから誘導される、前記項目のいずれかに記載の組成物。
（項目３０）
分散剤、酸化防止剤、摩耗防止剤、摩擦調整剤またはその２つ以上の混合物をさらに含む、前記項目のいずれかに記載の組成物。
（項目３１）
前記組成物が、エンジンオイルであり、そして前記組成物が、（ｉ）０．８重量％以下のイオウ含有量、（ｉｉ）０．２重量％以下のリン含有量、または（ｉｉｉ）２重量％以下の硫酸塩灰分含有量の少なくとも１つを有する、前記項目のいずれかに記載の組成物。
（項目３２）
前記組成物が、エンジンオイルであり、そして前記組成物が、（ｉ）０．５重量％以下のイオウ含有量、（ｉｉ）０．１重量％以下のリン含有量および（ｉｉｉ）１．５重量％以下の硫酸塩灰分含有量を有する、項目１から３０に記載の組成物。
（項目３３）
２ストロークもしくは４ストローク内燃機関のためのエンジンオイル、ギアオイル、自動変速機オイル、油圧油、タービン油、金属加工油剤またはサーキュレーティングオイルとしての、項目１から３０のいずれかに記載の組成物の使用。
（項目３４）
２ストロークまたは４ストローク舶用ディーゼル内燃機関用のエンジンオイルとしての、項目１から３２のいずれかに記載の組成物の使用。